(57)【要約】【課題】寝返りを打つことを妨げることなく、また、寝返りを打った場合においても上掛け寝具を身体に沿わした状態に維持し、快適な睡眠を提供することができる寝具を提供する。【解決手段】人が横たわるためのシート状の敷き寝具１０と、敷き寝具１０上に横たわる人を覆う第１の上掛け寝具２０と、を備えた合わせ寝具１であって、上掛け寝具２０は、伸縮自在なシート状材料により形成されており、且つ、上掛け寝具２０の周縁部は、外部から敷き寝具１０と上掛け寝具２０との間に人が入り込むための開口部分２を形成するように、上掛け寝具２０の周縁部２１ｄを除いて、敷き寝具１０に固定的又は着脱可能に取り付けられている。【選択図】図１
2016129552.tif 000002
【特許請求の範囲】
【請求項１】
人が横たわるためのシート状の敷き寝具と、
前記敷き寝具上に横たわる人を覆う上掛け寝具と、を備えた寝具であって、
前記上掛け寝具は、伸縮自在なシート状材料により形成されており、且つ、前記上掛け寝具の周縁部は、外部から前記敷き寝具と前記上掛け寝具との間に人が入り込むための開口部分を形成するように、前記上掛け寝具の周縁部の一部を除いて、前記敷き寝具に固定的又は着脱可能に取り付けられていることを特徴とする寝具。
【請求項２】
前記上掛け寝具は、第１の上掛け寝具であり、前記敷き寝具の一方の面側に配置されており、
前記敷き寝具の他方の面側に第２の上掛け寝具を更に備え、
前記第２の上掛け寝具は、伸縮自在なシート状材料により形成されており、且つ、前記第２の上掛け寝具の周縁部は、外部から前記敷き寝具と前記第２の上掛け寝具との間に人が入り込むための開口部分を形成するように、前記第２の上掛け寝具の周縁部の一部を除いて、前記敷き寝具に固定的又は着脱可能に取り付けられていることを特徴とする請求項１に記載の寝具。
【請求項３】
前記第１の上掛け寝具と前記第２の上掛け寝具は、異なるシート状材料により形成されていることを特徴とする請求項２に記載の寝具。
【請求項４】
前記異なるシート状材料は、保温性能が異なることを特徴とする請求項３に記載の寝具。
【請求項５】
前記寝具をベッド，布団，マットレスを含むベース部材上に載置した状態で、前記寝具を前記ベース部材に着脱自在に取り付けるための取付部材を更に備えたことを特徴とする請求項１〜４のいずれか１項に記載の寝具。
【請求項６】
前記寝具上に１つ又はそれ以上のシート状部材を重ねた状態で着脱自在に固定するための固定具を更に備えた請求項１〜５のいずれか１項に記載の寝具。
【発明の詳細な説明】
【技術分野】
【０００１】
本発明は寝具に関し、特に身体を横たえるための敷き寝具と横たえた身体を覆う上掛け寝具とを備えた寝具に関する。
【背景技術】
【０００２】
従来、寝具は、敷布団或いはベッド等の敷き寝具と、掛け布団や毛布等の上掛け寝具とから成っており、寝るときは敷き寝具と上掛け寝具の間に身体を挟んで寝るようになっている。
【０００３】
また、登山や野営等では、寝袋が用いられる場合がある。寝袋は、敷き寝具と上掛け寝具とが筒状に一体形成された構成となっている。具体的には、寝袋は、筒状に縫い合わされたシート状材料の底部が閉じられ、底部と逆側の端部（頂部）が開放されて開口部が形成されており、この開口部から底部に向けて縦方向に所定の長さの切れ目が入れられ、この切れ目にジッパーが取り付けられている。使用時には、ジッパーを下げて開口部をＶ字状に広げ、身体を筒状空間内に挿入した後、ジッパーを引き上げて開口部を閉じるようになっている。就寝者は、就寝中に寝袋によって身体が包み込まれ、寒さを防ぐことができる。
【０００４】
また、寝袋に類似する寝具として、敷き寝具と上掛け寝具の周縁部が互いに取り付けられ、敷き寝具と上掛け寝具との間の内部空間に身体を滑り込ませて寝る寝具が知られている（例えば、特許文献１参照）。
【先行技術文献】
【特許文献】
【０００５】
【特許文献１】特開２００２−２６２９７５号公報
【発明の概要】
【発明が解決しようとする課題】
【０００６】
冬季など気温の低いとき、特に冷え症の人や老人は、就寝中に足もとが暖かくならず、つま先が冷たくて寝付けないことがある。その原因の一つは、つま先付近の隙間から寝具内に冷気が入ってくることである。そこで、寒い季節には冷えるのを防ぐために電気毛布などの補助加熱器がしばしば用いられてきた。
【０００７】
しかしながら、このような補助加熱器は、就寝前に温度設定をして使用するが、就寝中に体温が上昇すると寝具全体の温度が上がり過ぎてしまい、寝苦しくなって夜中に目が覚め、睡眠が途中で妨げられるという問題があった。また、補助加熱器は、使用中に電気を消費するため省エネルギーには繋がらないという問題もあった。
【０００８】
また、寝ている状態において、敷き布団と掛け布団や上掛け毛布の間にできた隙間から冷気が入り込むことがある。特に、冬季において、重く厚い掛け布団を使用する場合には、掛け布団が身体にぴったりとは沿わず、敷布団と掛け布団の間に隙間が生じ易くなり、その隙間から冷気が入り込んで寒さのために良い睡眠が取れないという問題があった。
【０００９】
また、寝返りを打つと、掛け布団や上掛け毛布が寝返りを打つ方向に移動したままになる。このため、寝返りを打つと、敷き布団と掛け布団等の間に隙間が生じたり、身体から掛け布団等がずれて身体が露出してしまい、就寝中に体温が下がって眠りが浅くなって目覚めてしまったり、風邪を引いたりする場合があった。
【００１０】
また、登山や野営用の寝袋は携行するためにはコンパクトで軽いことが要求されているため、敷き布団と掛け布団等からなる通常の寝具の代わりに用いるには、内容積が狭く窮屈で寝心地の点で満足できるものではなかった。また、寝袋は、シート状材料に柔軟性がないため寝返りを打ちにくくなっている。仮に寝返りを打てたとしても、身体の姿勢の変化にシート状材料が追従しないため、寝返り時に身体の表面にシート状材料が密着せず、シート状材料と身体との間に隙間が生じて、この隙間から冷気が入り込んで、身体が冷え良い睡眠が取れないという問題があった。これを防ぐにはジッパーやボタン等により、寝袋の首元を締めつけることが考えられるが、この状態では、人によっては窮屈に感じるため、快適な睡眠を取れないおそれがあった。また、寝袋は、一日の疲れを取り除くためには寝室には相応しいものではない。
【００１１】
また、特許文献１に記載のような寝具においては、身体が敷き寝具と上掛け寝具との間の内部空間にある限りにおいて、上掛け寝具が身体から離れることはなく、身体が外部に露出することはない。しかしながら、上掛け寝具の側方周縁部が敷き寝具の側方周縁部に取り付けられているので、寝返りを打とうとしても、身体の姿勢変化に追従せず、寝返りの方向に上掛け寝具が移動しない。このため、寝返りが打ちづらく、窮屈に感じ、寝心地の点で満足できなかった。また、寝返りを打った場合には、寝袋と同様に、首元にできた隙間から冷気が入り込むおそれがあった。また、例えば、気温が低い場合に上掛け寝具の上にさらに毛布等の別の上掛け寝具を重ねると、上に重ねた別の上掛け寝具が、寝返りを打った際にずれてしまうおそれがあった。
【００１２】
本発明は、このような課題を解決するためになされたものであり、寝返りを打つことを妨げることなく、また、寝返りを打った場合においても上掛け寝具を身体に沿わした状態に維持し、快適な睡眠を提供することができる寝具を提供することを目的としている。
【課題を解決するための手段】
【００１３】
上述した課題を解決するために、本発明は、人が横たわるためのシート状の敷き寝具と、敷き寝具上に横たわる人を覆う上掛け寝具と、を備えた寝具であって、上掛け寝具は、伸縮自在なシート状材料により形成されており、且つ、上掛け寝具の周縁部は、外部から敷き寝具と上掛け寝具との間に人が入り込むための開口部分を形成するように、上掛け寝具の周縁部の一部を除いて、敷き寝具に固定的又は着脱可能に取り付けられている。
【００１４】
このように構成された本発明では、敷き寝具上に上掛け寝具が配置され、これらの間の内部空間に出入り可能な開口部分を除いて、上掛け寝具の周縁部が敷き寝具に固定的又は着脱可能に取り付けられている。さらに、本発明では、上掛け寝具が伸縮自在なシート状材料で形成されている。したがって、就寝者は、本発明の寝具を用いる場合、先ず、上掛け寝具の一部を掴んで上に引っ張り上げることにより、上掛け寝具を伸張させて身体を入れる内部空間を広げることができ、開口部分から内部空間へ身体を入れることが可能である。そして、身体を内部空間に入れた後、引っ張り上げていた上掛け寝具から手を離せば、上掛け寝具が元の状態に収縮する。これにより、上掛け寝具は、就寝者の身体表面及び敷き寝具の表面に密着状態となる。このため、上掛け寝具と敷き寝具との間に隙間ができにくくなり、就寝中に冷気が内部空間に入り込んで就寝者の体温を低下させることが抑制され、電気毛布等の補助加熱器を使用することなく、就寝者に快適な睡眠を提供することができる。
【００１５】
また、本発明では、就寝中に就寝者が内部空間で移動しても、上掛け寝具が身体表面からずれて身体が露出することがないので、身体を外部に露出することによって良質な睡眠が妨げられることがない。
また、本発明では、上掛け寝具が伸縮する構成であるので、寝返りを打つ際に上掛け寝具が寝返りの方向に伸張可能である。このため、本発明では、寝返りを打つことが妨げられることがなく、就寝者は寝返りを打つ際にストレスを感じることがない。
【００１６】
さらに、本発明では、寝返りを打つ際に、身体の移動に追従して上掛け寝具が移動するように上掛け寝具が伸張可能であるため、就寝者の身体と上掛け寝具との密着状態が維持される。よって、本発明では、寝返りによる姿勢変化に上掛け寝具を追従させて、身体と寝具との間に隙間を形成しないようにすることができる。さらに、寝返りを打った後に、伸張した上掛け寝具が収縮して自然と元の状態に戻ることも可能であり、その際にも就寝者の身体と上掛け寝具との密着状態が維持される。これにより、寝返りを打った後も、上掛け寝具と敷き寝具との間に隙間ができにくく、就寝中に冷気が内部空間に入り込むことを抑制することができる。
一方、従来、上掛け寝具として、中綿材料を綿素材又は化学繊維素材のカバーで被覆した上掛け布団や毛布等が用いられており、これらはほとんど伸縮性を有していなかった。このため、従来の寝具では、上掛け寝具が抵抗になって寝返りが打ちづらく、また、寝返りによって身体と寝具との間に隙間ができ易かった。
【００１７】
また、本発明では、上掛け寝具は、第１の上掛け寝具であり、敷き寝具の一方の面側に配置されており、敷き寝具の他方の面側に第２の上掛け寝具を更に備え、第２の上掛け寝具は、伸縮自在なシート状材料により形成されており、且つ、第２の上掛け寝具の周縁部は、外部から敷き寝具と第２の上掛け寝具との間に人が入り込むための開口部分を形成するように、第２の上掛け寝具の周縁部の一部を除いて、敷き寝具に固定的又は着脱可能に取り付けられている。
【００１８】
このように構成された本発明では、第１の上掛け寝具と、第１の上掛け寝具と同様な第２の上掛け寝具とが、敷き寝具の両面に設けられている。これにより、第１の上掛け寝具を上側にして配置すれば、第１の上掛け寝具を使用することが可能であり、第２の上掛け寝具を上側にして配置すれば、第２の上掛け寝具を使用することが可能となる。就寝者は、季節や好みに応じて、第１及び第２の上掛け寝具を選択的に使用することができる。例えば、夏季には第１の上掛け寝具を使用し、冬季には第２の上掛け寝具を使用すれば、一年を通じて本発明の寝具を使用することができる。また、第１及び第２の上掛け寝具が異なるシート状材料により形成されている場合は、就寝者の好みの肌触りや質感等を有する方を選択して使用することができる。
【００１９】
また、本発明では、第１の上掛け寝具と第２の上掛け寝具は、異なるシート状材料により形成されている。
このように構成された本発明では、就寝者の好みや環境条件等によって、第１の上掛け寝具と第２の上掛け寝具とを選択的に使用することができる。
例えば、異なるシート状材料は、保温性能が異なる。このように構成すると、気温が低い時期には保温性能が高い方の上掛け寝具を使用することができ、また、気温が高い時期には保温性能が低い方の上掛け寝具を使用することができる。
【００２０】
また、本発明では、寝具をベッド，布団，マットレスを含むベース部材上に載置した状態で、寝具をベース部材に着脱自在に取り付けるための取付部材を更に備えた。
このように構成された本発明では、就寝者の好みに応じて適切なベース部材を選択することにより、敷き寝具の寝心地に加えて、又は、敷き寝具の弾力性，硬さ等を変更して、快適な寝心地を提供することができる。
【００２１】
また、本発明では、寝具上に１つ又はそれ以上のシート状部材を重ねた状態で着脱自在に固定するための固定具を更に備えた。
このように構成された本発明では、就寝者の好みや環境に応じて、寝具の上に更に、毛布や掛け布団のような別のシート状部材を重ねて配置することができる。これにより、就寝者の好みの重量感、保温性等をアレンジすることができる。さらに、固定されたシート状部材は、就寝者が寝返りを打っても上掛け寝具からずれることがないので、就寝中に継続的に快適性を提供し続けることができる。
【発明の効果】
【００２２】
本発明の寝具によれば、寝返りを打つことを妨げることなく、また、寝返りを打った場合においても上掛け寝具を身体に沿わした状態に維持し、快適な睡眠を提供することができる。
【図面の簡単な説明】
【００２３】
【図１】本発明の実施形態による合わせ寝具の全体図である。
【図２】本発明の実施形態による合わせ寝具の分解図である。
【図３】本発明の実施形態による合わせ寝具の使用状態を示す説明図である。
【図４】本発明の実施形態による合わせ寝具の上掛け寝具の裏面の説明図である。
【図５】本発明の実施形態による合わせ寝具に固定される別のシート状部材の説明図である。
【発明を実施するための形態】
【００２４】
先ず、図１及び図２を参照して、本発明の一実施形態の寝具を説明する。
本実施形態の合わせ寝具１は、いずれも略矩形の第１の上掛け寝具２０と、敷き寝具１０と、第２の上掛け寝具３０とを重ね合わせて構成されている。合わせ寝具１は、第１の上掛け寝具２０を表側にして使用する場合と第２の上掛け寝具３０を表側にして使用する場合の２通りの使用が可能となっている。
【００２５】
敷き寝具１０，第１の上掛け寝具２０，第２の上掛け寝具３０は、長手方向又は縦方向（図１及び図２において左右方向）の長さがほぼ同じである（例えば、２００ｃｍ）。一方、第１の上掛け寝具２０及び第２の上掛け寝具３０の幅方向の長さ（例えば、１３０ｃｍ）は、互いに略同じであるが、敷き寝具１０の幅方向の長さ（例えば、１００ｃｍ）よりはやや長く形成されている。
【００２６】
敷き寝具１０は、例えば、薄手の毛布や敷き布団であるシート状の敷きものであり、就寝者が長手方向に沿うように身体を横たえる部分である。また、第１の上掛け寝具２０及び第２の上掛け寝具３０は、少なくとも幅方向において伸縮性に富んだ伸縮自在なシート状材料で形成されており、敷き寝具１０上で横になった就寝者の上部を覆う部分である。伸縮自在なシート素材は、例えば、伸縮性を有する線状材料を編んだシート状の編み物又は織物や、伸縮性線状材料又は非伸縮性線状材料をゴム編み等することにより伸縮性を付与されたシート状の編み物又は織物である。
【００２７】
敷き寝具１０，第１の上掛け寝具２０，第２の上掛け寝具３０は、寒暖等の環境に応じた保温機能を有するように、同一又は別々の材料で形成することができる。本実施形態では、第１の上掛け寝具２０は夏季用の上掛けであり、第２の上掛け寝具３０は冬季用の上掛けであり、それぞれ保温性能が異なるような異なるシート材料が選択されている。即ち、第１の上掛け寝具２０よりも第２の上掛け寝具３０の方が、生地の厚みが厚く、保温性能が高い材料が用いられている。
【００２８】
図１においては、就寝者は、右側を頭にして寝具１で寝ることができる。第１の上掛け寝具２０は、４辺からなる周縁部のうち就寝者に対して左右の側縁部２１ａ，２１ｂと、足が配置される側の底縁部２１ｃが、それぞれ敷き寝具１０の左右の側縁部１１ａ，１１ｂと、底縁部１１ｃに接合されている。同様に、第２の上掛け寝具３０も、左右の側縁部３１ａ，３１ｂと、底縁部３１ｃが、それぞれ敷き寝具１０の左右の側縁部１１ａ，１１ｂと、底縁部１１ｃに接合されている。
【００２９】
このように、敷き寝具１０，第１の上掛け寝具２０，第２の上掛け寝具３０の周縁部のうち就寝者の頭が配置される側の頂縁部２１ｄ，３１ｄ以外の縁部が、敷き寝具１０に対して全体としてコ字形に接合されることにより、開口部２が形成され、就寝者の頭部側が開放状態にされている。本実施形態の合わせ寝具１は、開口部２が敷き寝具１０の幅方向の長さにわたって延びており、ジッパーやボタン等により開閉するようには構成されていない。
【００３０】
なお、本実施形態では、敷き寝具１０，第１の上掛け寝具２０，第２の上掛け寝具３０の周縁部が互いに縫い合わされることにより固定的に接合されているが、これに限らず、ジッパー，ボタン，紐，面ファスナー等により、着脱自在に取り付ける構成としてもよい。
【００３１】
また、本実施形態では、合わせ寝具１０の左右の側縁部の３か所にそれぞれ取付部材４０が取り付けられている。各取付部材４０は、第１部材４０ａと第２部材４０ｂが一対となっており、それぞれが可撓性を有する伸縮性又は非伸縮性の長尺部材と、その先端部に互いに着脱自在に係合する係合手段とを有する構成である。係合手段は、例えば、バックル、ボタン、面ファスナー等である。また、長尺部材の長さを調整できる機構が、長尺部材自体又は係合手段に付属していることが好ましい。第１部材４０ａと第２部材４０ｂの基端部は合わせ寝具１０の側縁部に取り付けられている。なお、取付部材４０が、単に紐状の部材のみで形成されていてもよく、この場合、紐同士を結び合わせて係合させることができる。
【００３２】
合わせ寝具１０は、単独で使用してもよいが、図３に示すように、ベッド本体，敷布団，マットレス等のベース部材４上に載置した状態で使用してもよい。図３は、第１の上掛け寝具２０を表側にして使用した例を示している。この場合、３個の取付部材４０をベース部材４（図３の例では、敷布団）の裏側に回し、第１部材４０ａと第２部材４０ｂを係合させることにより、合わせ寝具１０をベース部材４上に取り付けることができる。これにより、敷き寝具１０及び下側の第２の上掛け寝具３０は、固定状態でベース部材４に取り付けられ、一方、上側の第１の上掛け寝具２０は、就寝者Ａにより上掛けとして使用できるようになる。
【００３３】
就寝者Ａは、合わせ寝具１を使用するとき、先ず、第１の上掛け寝具２０の縁部の中心部分を手で上側に引っ張り、身体がすっぽり入るように大きな空間を作る。第１の上掛け寝具２０は、伸縮自在のシート材料で形成されているため、手で上側に引っ張ることによりシート材料を伸張させて、容易に大きな内部空間を形成することができる。その後、敷き寝具１０と第１の上掛け寝具２０の間の開口部２から足先及び身体を内部空間に挿入し、開口部２から頭部を外に出した状態で、引っ張っていた第１の上掛け寝具２０から手を離す。これにより、伸張していた第１の上掛け寝具２０が自然状態に戻ろうとして収縮する。
【００３４】
第１の上掛け寝具２０は、伸縮自在であるため手を離して元の形に復元しようとするとき、周縁部が敷き寝具１０に接合されているので、敷き寝具１０の有る方向に向けて縮み、形成されていた大きな内部空間が縮小される。これにより、重力にしたがって第１の上掛け寝具２０が就寝者Ａの身体表面及び敷き寝具１０の表面に密着する。特に、第１の上掛け寝具２０は、開口部２において就寝者Ａの首部に密着するため、開口部２において隙間が形成され難くなり、外部から冷気が入り込むことを防止することができる。
【００３５】
また、就寝者Ａが就寝中に寝返りを打つ場合、第１の上掛け寝具２０が伸縮自在であるため、就寝者Ａの動作が妨げられることなく、寝返りを打つことができる。その際、第１上掛け寝具２０のうち就寝者Ａの身体に密着していた部分は、第１上掛け寝具２０を形成するシート状材料が伸縮自在であるため、姿勢の変化に追従して寝返りの方向に伸縮して容易に移動することができる。このため、就寝者Ａの寝返り動作が妨げられることはない。また、寝返りを打った後においても、シート状材料が就寝者Ａの身体に密着し続け、且つ、開口部２を閉じようとするので、冷気が入り込む隙間が形成されず、快適な睡眠を提供し続けることができる。
【００３６】
本実施形態では、第１の上掛け寝具２０及び第２の上掛け寝具３０は、その縦寸法が敷き寝具１０の縦寸法と同じ長さに設定されているが、伸縮自在なシート材料で形成されているため、就寝者の首回りにたくし込むことができるので邪魔にはならず、また、寝返りを打っても引きつれを起さないようにゆとりを持たせることができる。
【００３７】
また、本実施形態では、第１の上掛け寝具２０及び第２の上掛け寝具３０は、その横寸法（幅方向の長さ）が敷き寝具１０の横寸法よりも大きく設定されているため、就寝者が寝返りを打つ方向において余裕を持たせることが可能となり、より就寝者の寝返り動作が妨げられないようになっている。
なお、本実施形態では、就寝者Ａの身体が内部空間に入れられた状態において、掛け寝具がやや幅方向に伸張する程度に、掛け寝具２０，３０の横寸法が敷き寝具１０の横寸法よりも大きく設定されている。
【００３８】
また、本実施形態の合わせ寝具１は、従来の寝袋のように横寸法が就寝者の横幅又は肩幅よりもわずかに大きいだけの寸法ではなく、通常の寝具と同じ程度の横寸法を有しており、広い内部空間を確保することが可能である。このため、寝袋のように狭い空間に束縛されることなく、また、内部で自由に寝返りを打つことができるので、窮屈に感じることがなく、ゆったりとした快適な睡眠を提供することができる。
【００３９】
次に、敷き寝具１０、第１の上掛け寝具２０、及び、第２の上掛け寝具３０に用いられるシート状材料について説明する。
本実施形態の合わせ寝具１は、基本的に一年を通じて使用可能となるように構成されている。したがって、敷き寝具１０には、汗を吸収し易く且つ肌触りのよい木綿からなるものを使用することが好ましいが、繊維自体が自然保温力の豊かな羊毛の毛織物、絹織物、綿織物を使用してもよい。さらには、保温に適した天然繊維に加え、化学繊維の織物、例えばウレタン、テトロン、ポリエステル、ナイロン等の織物も肌触りが良く保温性に優れた素材として採用することができる。
【００４０】
第１の上掛け寝具２０，第２の上掛け寝具３０を形成するシート状素材は、寒暖、肌触り、その他好みによって天然繊維及び／又は化学繊維等によって形成することができる。
夏季用の第１の上掛け寝具２０は、夏季においても環境によっては就寝中に上掛けがずれて身体が露出すると寒い場合もあるので伸縮自在に構成され、例えば、医療用の薄い包帯のガーゼのような素材が汗を吸収し且つ伸縮性を有するため好適である。
【００４１】
冬季用の第２の上掛け寝具３０は、身体への馴染み易さをよくするように、純毛の極細と極太の毛糸を使った手編みの編み物、又は機械編みでも手編みに近い編み方をした編み物からなるシート状材料が好ましい。身体への密着度を良好にするには、ゴム編みによるものが好ましい。毛糸の手編み編み物や、機械編みでも手編み風の編み物は、身体に馴染むソフトさがあるので好ましい。毛糸以外にも、身体の動きに追従できる柔軟性のある天然繊維や、身体からの水分により発熱する吸湿発熱性の繊維や、身体からの熱を蓄熱できる繊維や、ウレタン繊維等を使用して、保温性に優れた編み物又は織物を形成してもよい。
【００４２】
極細の毛糸で編んだ編み物は、軽量となるため身体への密着度が低くなるが肌触りはよくなる。一方、重量のある極太の毛糸で編んだ編み物は、身体への密着度が高くなる。極細と極太の毛糸による編み物の利点を利用するため、極細の毛糸による編み物を身体に密着させるために身体に接触する側に配置し、これに極太の毛糸による編み物を重ねた構成としてもよい。このような併用によって、素材の持つ特徴が生かされ、編み物同士の間に暖かい空気が閉じ込められ、１層の編み物からなるシート状材料からなる上掛けよりも、保温効果を高めることができる。
【００４３】
また、極細と極太の毛糸による編み物の間（又は、２枚の極細の毛糸による編み物の間、或いは２枚の極太の毛糸による編み物の間）に、体温の発散を防止する機密性のアルミ蒸着樹脂シートを、例えば帯状に複数並列配置することにより、蓄熱効果を向上させることができる。
【００４４】
上述のような複数の編み物や樹脂シートを重ねた構成を採用しない場合は、極太の毛糸による手編み編み物からなるシート状材料を第２の上掛け寝具３０のために用いることが好ましい。極太の毛糸は、並太や極細の毛糸より重いので、寝返りを打っても自重で身体に覆いかぶさり、身体の上面の形状に追従するので身体と上掛けの間に隙間ができにくくなる。身体を覆う上掛けは敷き寝具１０の表面にもぴったりとフィットし、身体と上掛けの間や敷き寝具と上掛けの間の隙間を減らすので、冷気が入りにくくなり、十分な保温効果が得られる。また、本実施形態では、第２の上掛け寝具２０は、敷き寝具１０よりも面積が大きいため、大きい分だけ熱を蓄え易くなる。
【００４５】
さらに、上述のように、上掛け寝具が、２種類以上のシート状素材（編み物によるシート状材料、樹脂シート等）を一体化した構成、及び、１種類のシート状素材（編み物によるシート状材料）からなる場合において、就寝者の身体に触れる部分には、伸縮自在の医療用ガーゼのような素材をさらに固定的又は着脱自在に一体化させて配置してもよい。すなわち、毛糸のような繊維が直接身体に触れるとチクチクと皮膚の表面が刺激され、これを不快に感じる人のため、上掛け寝具の身体に接する最も下側の層に、医療用の包帯のような伸縮自在のガーゼなどの織物を一体的に重ねた構成とすることができる。これにより、毛糸の繊維が肌に直接触れることがないので、不快感を無くすことができる。
【００４６】
編み物の編み方は、ゴム編みが好ましく、ゴム編みは全方向に大きな伸縮性があり、寝返りを打った時でも常に初期の状態に自動的に復元しようとするので上掛けに適している。また、メリヤス編みを用いることもできる。メリヤス編みは、横方向の伸縮率が大きいが、縦方向の伸縮率が小さい。このため、メリヤス編みのシート状材料を用いる場合は、伸縮率の大きい方向が合わせ寝具１の幅方向に沿うように上掛け寝具を形成することが好ましい。
また、ループ編みを用いることもできる。ループ編みは、メリヤス編みやガータ編みのような平坦な編み物ではなく、編み物の表面にループ状の突起を形成する。このため、ループ編みによる編み物は、平坦な編み物より単位面積当たり重量が大きく、身体の表面形状に沿って馴染み易くなり、身体と編み物の隙間を減少させることができる。
【００４７】
また、編み物に用いる撚糸は、ストレートヤーンに限らず、一般的にファンシーヤーンと呼ばれている意匠撚糸を用いてもよい。例えば、ファンシーヤーンの一種であるファーヤーンは、長さ方向に対して側方周囲に細い繊維が広がって空気層を形成し、柔らかい肌触りを与える。側方に広がる繊維の長さは、１〜５ｃｍ程度である。ファンシーヤーンを用いた編み物によるシート状材料により形成された上掛け寝具は、側方に広がる繊維層に柔軟性があり、身体との間に隙間が生じ難くなり、冷気が入り込むことをさらに効率的に防止することができる。また、ファンシーヤーン、特にファーヤーンを用いた編み物によるシート状材料は、ストレートヤーンのものより比重が大きいので、重力にしたがい身体の表面や敷き寝具に密着し易くなる。編み方は、上述のようなゴム編み等を採用することができる。
【００４８】
また、図４に示すように、第２の上掛け寝具３０の裏面の全体又は一部に、天然繊維又は化学繊維を球状に成形し内部に空気を多く蓄えることが可能な蓄熱部材３２を配置してもよい。蓄熱部材３２は、例えば、直径５ｍｍ〜５０ｍｍであり、第２の上掛け寝具３０の裏面に１〜５ｃｍの長さの糸によってぶら下げるように取り付けることができる。蓄熱部材３２は、就寝中に就寝者の身体から出る熱を蓄積することにより、保温効果を向上させることができる。なお、蓄熱部材３２を第１の上掛け寝具２０に取り付けてもよい。
【００４９】
蓄熱部材３２は、球状が好ましいが、身体の各部分の形状にフィットし易くさせるため、楕円球状、半球状、半楕円球状、丸棒形状、円柱の先端部が半球状に加工されたすりこぎ形状等の任意形状とすることができる。蓄熱部材３２は、第２の上掛け寝具３０の裏面からぶら下がっている状態で身体に接するので、身体のどの部分に接しても回転しながら移動して、最終的に身体表面の低い位置に留まるので身体に密着しやすい。
【００５０】
蓄熱部材３２の素材は、羊毛などの天然繊維を用いる場合、価格が比較的高く且つ防虫のため保存に注意しなければならないが、重量があり保温力が大きいというメリットが得られ、一方、ウレタン繊維などの化学繊維を用いる場合、価格が比較的安く且つ保温性もあるというメリットが得られる。
また、蓄熱部材３２が取り付けられた上掛け寝具において、肌に直接接する最も下側の層に、医療用の包帯のような伸縮自在のガーゼなどの織物を一体的に重ねた構成としてもよい。
【００５１】
また、図５に示すように、第１の上掛け寝具２０及び第２の上掛け寝具３０の上側に、１枚又はそれ以上の枚数のシート状部材６０（毛布、掛け布団等）を重ねた状態で一体的に配置可能とするための固定具５１を設けてもよい（第２の上掛け寝具３０のための固定具は図示されていない）。本実施形態では、固定具５１は、所定長さの紐であり、基端部が第１の上掛け寝具２０及び第２の上掛け寝具３０の周縁部付近の８か所に固定されている。一方、シート状部材６０には、各固定具５１に対応する位置に固定孔６１が形成されている。固定孔６１は、所定の径寸法を有する貫通孔であり、孔の内部周縁に穴かがりを施され、これによりシート状部材６０のほつれが保護されている。また、これに限らず、ハトメ器具を孔に取り付けてもよい。
【００５２】
シート状部材６０は、第１の上掛け寝具２０又は第２の上掛け寝具３０の上に重ね合わされ、各固定具５１の自由端を、対応する固定孔６１に通し、シート状部材６０が外れないように固定具５１を結び付ける。複数枚のシート状部材６０を取り付ける場合は、シート状部材６０を複数枚重ねて上掛け寝具の上に重ね合せ、固定具５１を重なった複数の固定孔６１に順次に通して結びつける。これにより、１枚又は複数枚のシート状部材６０を上掛け寝具上に一体的且つ着脱自在に配置することができる。
【００５３】
したがって、季節，気温，好みに応じて、付加的に必要な枚数のシート状部材６０を上掛け寝具上に選択的に配置することができる。また、シート状部材６０は、絹，木綿，毛糸等の天然繊維、合成繊維からなる編み物や織物によるものを使用することができる。シート状部材６０は、上掛け寝具と同様に少なくとも幅方向に伸縮自在であることが好ましいが、そうでない場合には、シート状部材６０の幅を上掛け寝具の幅よりも大きく設定することが好ましい。シート状部材６０の幅が上掛け寝具の幅よりも大きければ、上掛け寝具と敷き寝具１０との間に、就寝者が自由に寝返りを打つだけの内部空間を確保することができる。
【００５４】
シート状部材６０は、保温性の観点からだけではなく、外観上の好ましさや寝心地の点から素材，色，重量，厚み等を選択してもよく、個人のファッション性も満足させることが可能である。例えば、保温性を重視する場合には、シート状部材６０として、アルミ蒸着の樹脂シートを選択することができる。さらに、気温が低い季節には、複数枚のシート状部材６０を重ねて使用することができる。このように、本実施形態では、個人の体質や環境等の外的要因に応じて、最適にシート状部材６０を選択することができるので、快適な睡眠を提供することが可能である。
【００５５】
また、重い上掛けを好む場合には、複数枚のシート状部材６０の上にさらに従来の掛け布団を、固定せずに配置してもよい。睡眠者が寝返りを打っても伸縮自在の上掛け寝具が伸びたり縮んだりするだけなので、最上段の重い掛け布団は殆ど動かずにそのままの位置に保持される。
【００５６】
なお、本実施形態では、固定具５１が上掛け寝具に固定的に取り付けられているが、これに限らず、敷き寝具１０に固定的に取り付けられていてもよい。この場合、上掛け寝具２０，３０にもシート状部材６０と同様に固定孔を設け、上掛け寝具２０，３０も固定具によって着脱可能とする構成とすることができる。
【００５７】
また、本実施形態では、固定具５１を固定孔６１に通すことによって、シート状部材６０を上掛け寝具に取り付けているが、取付方式はこれに限らない。例えば、固定孔６１をシート状部材６０に直接的に形成するのではなく、シート状部材６０の周縁に側方に突出するように別の布状部材を縫い付け、この布状部材に固定孔６１を形成してもよい。なお、本実施形態では、固定具５１及び対応する固定孔６１が８か所に設けられているが、これに限らず、隙間が生じないように、より多数の箇所に固定具５１及び対応する固定孔６１を設けてもよい。
【００５８】
また、本実施形態では、固定具５１として紐を使用しているが、これに限らず、ボルト及びナット、結束バンドを使用してもよい。ボルト及びナットは、金属製でもよいが、木製，竹製等の自然素材で形成されたものや樹脂製のものが好ましく、取り付けも簡単である。
【００５９】
なお、本実施形態では、第１の上掛け寝具２０を夏季用とし、第２の上掛け寝具３０を冬季用としているが、これに限らず、それぞれの上掛け寝具を異なるシート状材料で形成して、異なる肌触りや質感等を提供するように構成してもよい。この場合、就寝者は、好みに応じていずれかの上掛け寝具を選択的に使用することができる。
【符号の説明】
【００６０】
１      合わせ寝具
２      開口部
４      べース部材
１０      敷き寝具
１１ａ，１１ｂ  側縁部
１１ｃ    底縁部
２０      第１の上掛け寝具
２１ａ，２１ｂ  側縁部
２１ｃ    底縁部
２１ｄ    頂縁部
３０      第２の上掛け寝具
３１ａ，３１ｂ  側縁部
３１ｃ    底縁部
３１ｄ    頂縁部
３２      蓄熱部材
４０      取付部材
４０ａ    第１部材
４０ｂ    第２部材
５１      固定具
６０      シート状部材
６１      固定孔
Ａ      就寝者
【図１】
2016129552.tif 000003
【図２】
2016129552.tif 000004
【図３】
2016129552.tif 000005
【図４】
2016129552.tif 000006
【図５】
2016129552.tif 000007